【手続補正書】
【提出日】平成17年10月20日(2005.10.20)
【手続補正１】
【補正対象書類名】明細書
【補正対象項目名】発明の名称
【補正方法】変更
【補正の内容】
【発明の名称】画像再生方式及び方法
【手続補正２】
【補正対象書類名】明細書
【補正対象項目名】特許請求の範囲
【補正方法】変更
【補正の内容】
【特許請求の範囲】
【請求項１】  フレーム内及びフレーム間符号化によって圧縮符号化された同一静止画フレームの連続からなる静止画シーケンスを再生する画像再生方式であって、
上記静止画シーケンスの継続期間を検出する手段と、
上記静止画シーケンス中の所定符号化フレームの復号化フレームを保持するフレーム保持手段と、
少なくとも上記保持された復号化フレームの再生時点以降の静止画シーケンス継続期間は、上記保持された復号化フレームを以後の符号化データの復号化フレームに代えて出力する手段とを備えることを特徴とする画像再生方式。
【請求項２】  上記フレーム保持手段に復号化フレームを保持する処理は、上記静止画シーケンスの先頭から所定のフレーム間符号化単位経過した後の符号化フレームに対して行うことを特徴とする請求項１に記載の画像再生方式。
【請求項３】  上記フレーム保持手段に復号化フレームを保持する処理は、上記静止画シーケンス中の付加情報に同期して開始されることを特徴とする請求項１に記載の画像再生方式。
【請求項４】  上記静止画シーケンスの継続期間は、記録データ中の静止画記録部分を識別する静止画ＩＤ情報から検出することを特徴とする請求項１に記載の画像再生方式。
【請求項５】  上記静止画シーケンスの継続期間は、記録データ中の静止画記録部分を示す静止画記録フラグとフレーム間符号化単位の不連続を示すフラグとから検出することを特徴とする請求項１に記載の画像再生方式。
【請求項６】  上記静止画シーケンスの継続期間は、記録データ中の静止画記録部分を示す静止画記録フラグと、フレーム間の画像変化の有無を示すフラグとから検出することを特徴とする請求項１に記載の画像再生方式。
【請求項７】  上記フレーム保持手段に保持されるフレームは前後フレームからの予測によるＢピクチャから選ばれることを特徴とする請求項１〜６のいずれか１項に記載の画像再生方式。
【請求項８】  上記フレーム保持手段に保持されるフレームは時間的に先行するフレームからの予測によるＰピクチャから選ばれることを特徴とする請求項１〜６のいずれか１項に記載の画像再生方式。
【請求項９】  フレーム内及びフレーム間符号化によって圧縮符号化された同一静止画フレームの連続からなる静止画シーケンスを再生する画像再生方式であって、
上記静止画シーケンスの継続期間を検出する手段と、
フレーム間符号化による符号化フレームの復号化に必要な符号化データ中の訂正不能誤り量を計算する手段と、
上記訂正不能誤り量から対応する復号化フレームの画質劣化量を計算する手段と、
上記静止画シーケンス中の符号化フレームのうち上記画質劣化量が所定値以下である符号化フレームの復号化フレームを保持するフレーム保持手段と、
少なくとも上記保持された復号化フレームの再生時点以降の静止画シーケンス継続期間は、上記保持された復号化フレームを以後の符号化データの復号化フレームに代えて出力する手段とを備えることを特徴とする画像再生方式。
【請求項１０】  フレーム内及びフレーム間符号化によって圧縮符号化された同一静止画フレームの連続からなる静止画シーケンスを再生する画像再生方式であって、
上記静止画シーケンス中の所定符号化フレームの復号化フレームを保持し、以後の符号化データの復号化フレームに代えて出力することを特徴とする画像再生方式。
【請求項１１】  ＭＰＥＧ方式で圧縮符号化された同一静止画フレームの連続からなる静止画シーケンスと、上記静止画シーケンスの付加情報として記録された上記静止画シーケンス及びその継続再生期間を特定するための識別情報とを記録メディアから再生する画像再生方式であって、
上記記録メディアに記録されたデータを再生する再生手段と、
上記再生手段によって再生されたデータから上記識別情報を検出する検出手段と、
上記再生手段によって再生されたデータのうち画像データを復号する復号手段と、
上記検出手段によって検出された識別情報に対応する静止画シーケンスを再生するときに、上記静止画シーケンスを上記復号手段で復号して得た所定の復号化フレームを保持するフレーム保持手段と、
上記検出手段によって検出された識別情報によって特定される上記静止画シーケンスの継続再生期間中においては、上記所定の復号化フレームを出力するまでは上記復号手段で復号された復号化フレームを出力し、上記所定の復号化フレームを出力した以降は上記保持された復号化フレームを繰り返し出力する出力手段とを備えることを特徴とする画像再生方式。
【請求項１２】  フレーム内及びフレーム間符号化によって圧縮符号化された同一静止画フレームの連続からなる静止画シーケンスを再生する画像再生方法であって、
上記静止画シーケンスの継続期間を検出する手順と、
上記静止画シーケンス中の所定符号化フレームの復号化フレームをフレーム保持手段が保持する手順と、
少なくとも上記保持された復号化フレームの再生時点以降の静止画シーケンス継続期間は、上記保持された復号化フレームを以後の符号化データの復号化フレームに代えて出力する手順とを有することを特徴とする画像再生方法。
【請求項１３】  フレーム内及びフレーム間符号化によって圧縮符号化された同一静止画フレームの連続からなる静止画シーケンスを再生する画像再生方法であって、
上記静止画シーケンス中の所定符号化フレームの復号化フレームをフレーム保持手段が保持し、以後の符号化データの復号化フレームに代えて出力することを特徴とする画像再生方法。
【請求項１４】
ＭＰＥＧ方式で圧縮符号化された同一静止画フレームの連続からなる静止画シーケンスと、上記静止画シーケンスの付加情報として記録された上記静止画シーケンス及びその継続再生期間を特定するための識別情報とを記録メディアから再生する画像再生方法であって、
上記記録メディアに記録されたデータを再生する再生手順と、
上記再生手順によって再生されたデータから上記識別情報を検出する検出手順と、
上記再生手順によって再生されたデータのうち画像データを復号する復号手順と、
上記検出手順によって検出された識別情報に対応する静止画シーケンスを再生するときに、上記静止画シーケンスを上記復号して得た所定の復号化フレームをフレーム保持手段が保持する保持手順と、
上記検出手順によって検出された識別情報によって特定される上記静止画シーケンスの継続再生期間中においては、上記所定の復号化フレームを出力するまでは上記復号手順で復号された復号化フレームを出力し、上記所定の復号化フレームを出力した以降は上記保持された復号化フレームを繰り返し出力する出力手順とを有することを特徴とする画像再生方法。
【手続補正３】
【補正対象書類名】明細書
【補正対象項目名】０００１
【補正方法】変更
【補正の内容】
【０００１】
【発明の属する技術分野】
本発明は、画像再生方式及び方法に関し、特にはＭＰＥＧ−１、２方式など、フレーム間符号化を用いて動画像を圧縮し記録する記録方式を用いて記録された静止画データの再生方式及び方法に関する。
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
【発明の実施の形態】
以下、図面を参照して、本発明の画像再生方式及び方法についての実施の形態を説明する。